(57)【特許請求の範囲】
【請求項１】
昇降自在に走行する乗りカゴと、
前記乗りカゴと外気とに連通して設けられた送風機と、
予め設定された走行中における前記乗りカゴ内の気圧パタンに基づいて前記送風機の回転速度を制御すための回転速度指令を生成する指令生成器とを備え、
前記指令生成器は、前記乗りカゴの走行開始に先行して前記送風機の駆動を開始させると共に、前記送風機の最大角減速度を当該送風機の性能値よりも小さい値に設定した前記回転速度指令を生成し、
前記回転速度指令における前記最大角減速度は、当該回転速度指令における最大角加速度を超えない大きさに設定される
エレベータ装置。
【請求項２】
前記回転速度指令は、前記乗りカゴのカゴドアが閉じた後で、かつ前記乗りカゴの走行開始前に前記送風機の駆動を開始させる
請求項１に記載のエレベータ装置。
【請求項３】
前記送風機は、ブレーキを備えた
請求項１または２に記載のエレベータ装置。
【請求項４】
前記乗りカゴ内の気圧を測定するセンサと、
前記気圧パタンに示される当該乗りカゴ内の目標気圧と前記センサで測定した前記乗りカゴ内の気圧との偏差に基づいて操作量を求めるフィードバック制御器とを有し、
前記指令生成器は、前記気圧パタンに対して前記フィードバック制御器で求めた操作量を加えて前記回転速度指令を生成する
請求項１〜３の何れか１項に記載のエレベータ装置。
【請求項５】
前記気圧パタンは、前記乗りカゴの走行期間の前半と後半とで、当該乗りカゴ内の気圧が外気圧に対して陽圧と陰圧とで切り替わるパタンであり、
前記送風機は、前記乗りカゴの走行期間の前半と後半とで、前記乗りカゴに対する機能が給気用と排気用とで切り替えて用いられ、
前記回転速度指令は、前記乗りカゴの走行期間の後半においての前記最大角減速度が、前半においての前記最大角減速度よりも小さい
請求項１〜４の何れか１項に記載のエレベータ装置。
【請求項６】
前記回転速度指令は、前記送風機の駆動開始と前記乗りカゴの走行開始の間隔よりも大きい間隔で、前記気圧パタンにおける陽圧と陰圧との切り替わり時点に先行させて、前記乗りカゴに対する当該送風機の機能を給気用と排気用とで切り替える
請求項５に記載のエレベータ装置。
【請求項７】
前記送風機は、前記乗りカゴに対する給気用と排気用との２台で構成され、前記乗りカゴの走行期間の前半と後半とで当該２台の送風機を切り替えて用いる
請求項６に記載のエレベータ装置。
【請求項８】
昇降自在に走行する乗りカゴ内の気圧を予め設定された気圧パタンに追従させるように、当該乗りカゴと外気とに連通して設けられた送風機の回転速度を制御するエレベータ気圧制御方法であって、
前記気圧パタンと前記送風機の性能値とに基づいて、前記乗りカゴの走行開始に先行して前記送風機の駆動を開始させると共に、前記送風機の最大角減速度を当該送風機の性能値よりも小さい値で調整した回転速度指令を生成し、
前記回転速度指令にしたがって前記送風機の駆動を制御し、
前記回転速度指令の生成においては、最大角加速度で前記送風機を加速運転した場合の前記乗りカゴ内のカゴ内気圧の変化速度と、最大角減速度で当該送風機を減速運転した場合の当該乗りカゴ内のカゴ内気圧の変化速度とが同等になるように、前記乗りカゴの走行開始に対する当該送風機の駆動開始の前倒しの時間差と当該最大角減速度とを設定する
エレベータ気圧制御方法。
【発明の詳細な説明】
【技術分野】
【０００１】
本発明は、エレベータ装置およびエレベータ気圧制御方法に関する。
【背景技術】
【０００２】
本技術分野の背景技術として、特開２０１４−１１８２２０号公報（特許文献１）がある。この公報には、エレベータの昇降による乗りカゴ内圧力の変化に伴い耳詰まり現象を緩和するために、「エレベータ下降時においては、運転時間の前半（Ｔ＜Ｔ０）は乗りカゴ内陽圧状態のみで階段状の圧力制御を構成し、後半（Ｔ＞Ｔ０）は乗りカゴ内陰圧側のみで階段状の圧力制御を構成する…」と記載されている。また、「運転時間の前半（Ｔ＜Ｔ０）は、乗りカゴ内圧力が陽圧状態になるよう送風機２から乗りカゴ１に空気を流入させる。…圧力測定装置４により乗りカゴ内圧力を測定し、制御装置６により乗りカゴ１内の圧力曲線Ｂを所定の階段状に変化させるために必要な圧力調整弁３の開度を計算し、圧力調整弁３の開度を調整することで、乗りカゴ１内から適正な空気が外部に流出し、乗りカゴ１内の圧力を階段状に変化するよう制御する。」と記載されている。
【先行技術文献】
【特許文献】
【０００３】
【特許文献１】特開２０１４−１１８２２０号公報
【発明の概要】
【発明が解決しようとする課題】
【０００４】
しかしながら、特許文献１に記載のエレベータ装置では、乗りカゴ内の気圧を目標とする階段状の気圧パタンに応答性良好に追従させるために、乗りカゴ内の給排気用の送風機と共に、圧力調整弁を組み合わせて用いている。したがって、部品点数が多く、装置構成および制御が複雑なものとなっている。
【０００５】
そこで本発明は、送風機の回転制御のみにより、走行中の乗りカゴ内の気圧を設定された圧力パタンに対して高精度に追従させることが可能なエレベータ装置、およびエレベータ気圧制御方法を提供することを目的とする。
【課題を解決するための手段】
【０００６】
上記課題を解決するために、例えば特許請求の範囲に記載の構成を採用する。本願は上記課題を解決する手段を複数含んでいるが、その一例を挙げるならば、昇降自在に走行する乗りカゴと、前記乗りカゴと外気とに連通して設けられた送風機と、予め設定された走行中における前記乗りカゴ内の気圧パタンに基づいて前記送風機の回転速度を制御すための回転速度指令を生成する指令生成器とを備え、前記指令生成器は、前記乗りカゴの走行開始に先行して前記送風機の駆動を開始させると共に、前記送風機の最大角減速度を当該送風機の性能値よりも小さい値に設定した前記回転速度指令を生成するエレベータ装置である。
【発明の効果】
【０００７】
以上の構成のエレベータ装置によれば、送風機の回転制御のみにより、走行中の乗りカゴ内の気圧を設定された圧力パタンに対して高精度に追従させることが可能である。
【図面の簡単な説明】
【０００８】
【図１】第１実施形態のエレベータ装置の構成を説明するための概略構成図である。
【図２】指令生成器において実施される回転速度指令［ｎ］の生成の詳細を説明するためのフロー図である。
【図３】下降運転における乗りカゴ内の気圧パタンの一例を示す図である。
【図４】乗りカゴ内の気圧パタンと外気圧との差をとった目標差圧［ΔＰref］を示す図である。
【図５】回転速度指令［ｎ］の生成を説明するために目標差圧［ΔＰref］を単純化した三角波を示す図である。
【図６】送風機の回転速度指令の理想値［ｎ０］と性能値［ｎ１］とを示す図である。
【図７】送風機の回転速度［Ｎ］の制御に対する乗りカゴの内外の気圧差［ΔＰ］の制御誤差を説明するための図である。
【図８】性能値［ｎ１］に従って送風機を制御した場合の乗りカゴの内外の気圧差［ΔＰｃ１］を示す図である。
【図９】補正性能値［ｎ２］および回転送度指令［ｎ］の生成を説明するための図である。
【図１０】補正性能値［ｎ２］または回転送度指令［ｎ］に従って送風機を制御した場合の乗りカゴの内外の気圧差［ΔＰｃ２］を示す図である。
【図１１】第２実施形態のエレベータ装置の構成を説明するための概略構成図である。
【発明を実施するための形態】
【０００９】
以下、本発明のエレベータ装置に関する各実施形態を図面に基づいて詳細に説明する。各実施形態においては、乗りカゴの昇降動作に伴う耳詰まり現象を緩和するための機能を有するエレベータ装置の構成を説明する。尚、以下に説明する各実施形態において同一の構成要素には同一の符号を付し、重複する説明は省略する。
【００１０】
≪第１実施形態≫
＜エレベータ装置の概略構成＞
図１は、第１実施形態のエレベータ装置１の構成を説明するための概略構成図である。この図に示すエレベータ装置１は、乗りカゴ１１、送風機１３、および指令生成器１５を備えており、指令生成器１５において生成する回転速度指令［ｎ］が特徴的である。これらの構成は、次のようである。
【００１１】
［乗りカゴ１１］
乗りカゴ１１は、ここでの図示を省略した建物の上下方向に延設された昇降路内につり下げられたもので、巻き上げ機の駆動によって昇降路内において昇降自在に走行する。この乗りカゴ１１の側面には、水平方向にスライドするカゴドア１１ａが設けられている。カゴドア１１ａが閉じられた状態において、乗りカゴ１１内は、ほぼ密閉された状態に保たれるが、この密閉状態は完全ではなく隙間を有している。したがって、乗りカゴ１１は、その昇降動作にともない乗りカゴ１１の内外で気圧差が発生すると、乗りカゴ１１内外の空気がカゴドア１１ａ等の隙間を通過し、乗りカゴ１１内外の空気に漏れが生じる構成である。
【００１２】
以上のような乗りカゴ１１には、内部の気圧（カゴ内気圧［Ｐｃ］）を測定するためのセンサ１１ｂが設けられていても良い。
【００１３】
［送風機１３］
送風機１３は、乗りカゴ１１と外気とに連通して設けられており、ここでの図示を省略した送風路によって乗りカゴ１１と連通した状態で配置され、これにより送風機１３で発生させた風量に応じてカゴ内気圧［Ｐｃ］を変化させる構成となっている。
【００１４】
このような送風機１３は、性能上の限界値としての最大角加速度［αacc］を有している。最大角加速度［αacc］は、送風機１３の回転速度を加速させる加速運転時におけるプラスの最大角加速度の大きさである。また送風機１３は、この最大各加速度［αacc］以下で加速運転される。
【００１５】
このような送風機１３は、ここでの図示を省略したブレーキを備えたものであって、送風機１３の回転速度を、単に回転を停止させた場合よりも早く、所定の角減速度で減速可能となっている。このブレーキは、このブレーキの作動による送風機１３の最大角減速度［αdec］が、送風機１３の性能上の最大角加速度［αacc］と同じかそれ以上の大きさとなるような性能を有するものである。これにより、送風機１３は、送風機１３に対して設定される値に合わせて最大角減速度［αdec］が調整可能となっている。ここで、最大角減速度［αdec］は、送風機１３の回転速度を減速させる減速運転時におけるマイナスの最大角加速度の大きさであり、最大角減速度［αdec］が小さいとは、その絶対値の大きさが小さいことを意味する。
【００１６】
このようなブレーキとしては、例えば回生ブレーキが設けられ、走行する乗りカゴ１１の運動エネルギーを電気エネルギーに変換し制動回収する構成としてもよい。
【００１７】
また以降に説明するように、走行中における乗りカゴ１１内の気圧が、外気に対して陽圧と陰圧とで切り替えて制御される場合、この送風機１３は、乗りカゴ１１に対する接続状態を切り替えることによって給気用および排気用として機能する構成であってもよい。あるいは送風機１３は、給気用と排気用の２台で構成されていてもよい。
【００１８】
［指令生成器１５］
指令生成器１５は、送風機１３の回転速度を制御するためのものである。この指令生成器１５は、指令生成器１５に対して入力される乗りカゴ１１内の目標気圧［Ｐref］、送風機１３の最大角加速度［αacc］および最大角減速度［αdec］に基づいて、乗りカゴ１１の走行中における送風機１３の回転速度指令［ｎ］を生成する。
【００１９】
ここで、指令生成器１５に入力される目標気圧［Ｐref］とは、降下および上昇といった乗りカゴ１１の走行中における、乗りカゴ１１内の気圧の目標値であり、予め設定された気圧パタンに基づいて経時的に制御変化させる気圧である。この目標気圧［Ｐref］の経時変化として示される気圧パタンは、例えば乗りカゴ１１の昇降動作に伴う耳詰まり現象を緩和するために、乗りカゴ１１の走行開始から走行終了までの間に設定される乗りカゴ１１内の気圧パタンである。
【００２０】
また指令生成器１５に入力される最大角加速度［αacc］および最大角減速度［αdec］は、例えば送風機１３の性能上の最大値である。
【００２１】
このような指令生成器１５において生成する回転速度指令［ｎ］は、乗りカゴ１１の走行開始に先行して送風機１３の駆動を開始させると共に、送風機１３の最大角減速度［αdec］が、送風機１３の性能値よりも小さい値に設定されたものである。この回転速度指令［ｎ］における最大角減速度［αdec］は、最大角加速度［αacc］を超えない値に設定されることが好ましい。
【００２２】
図２は、指令生成器１５において実施される回転速度指令［ｎ］の生成の詳細を説明するためのフロー図であり、指令生成器１５における回転速度指令［ｎ］およびその生成の詳細は、以降に図２に基づいて説明する。
【００２３】
また指令生成器１５は、乗りカゴ１１の昇降動作、すなわち下降運転であるか上昇運転であるか、何階から何階にまで移動するのか等が決定した場合に、回転速度指令［ｎ］を生成し、生成した回転速度指令［ｎ］を送風機１３に出力し、送風機１３の回転速度を制御する。これにより、指令生成器１５は、走行中における乗りカゴ１１内の気圧を、予め決め設定された目標気圧［Ｐref］に合わせて変動させように送風機１３の回転速度をフィードフォワード制御する。
【００２４】
−気圧パタンについて−
図３は、走行中に求められる乗りカゴ１１内の気圧パタンの一例を示す図である。以降で指令生成器１５による回転速度指令［ｎ］の生成の詳細を説明するあたり、先ず、指令生成器１５に入力される目標気圧［Ｐref］の経時変化として表される気圧パタン１００について、先の図１と共に図３を用いて説明する。
【００２５】
先に述べたとおり、気圧パタン１００は、例えば乗りカゴ１１の昇降動作に伴う耳詰まり現象を緩和するための乗りカゴ１１内の気圧の経時変動を示すパタンである。図３は、乗りカゴ１１を展望階から地上階まで下降運転した場合の例を示している。
【００２６】
通常、乗りカゴ１１は、その昇降動作において走行開始［ｔ０］から徐々に速度を上げて最高速度に達し、一定時間最高速度で走行した後、徐々に速度を落として停止する。そのため、図３に示すように、乗りカゴ１１外の外気圧１０１は、走行開始［ｔ０］から走行終了［ｔｆ］まで、Ｓ字形に変化する。
【００２７】
そこで、乗りカゴ１１の昇降動作に伴う耳詰まり現象を緩和するための一例としての気圧パタン１００は、乗りカゴ１１の走行期間の前半（ｔ０〜ｔｍ）と後半（ｔｍ〜ｔｆ）とで、乗りカゴ１１内の気圧が外気圧１０１に対して陽圧と陰圧とで切り替わるパタンである。走行期間の前半（ｔ０〜ｔｍ）では、外気圧１０１に対して陽圧とした階段状での圧力制御とする。一方、走行期間の後半（ｔｍ〜ｔｆ）では、外気圧１０１に対して陰圧とした階段状での圧力制御としている。このような階段状の気圧パタン１００において、気圧変化が急な部分と気圧変化が緩やかな部分の、それぞれの時間間隔は３〜７秒に設定されている。このため、このような気圧パタン１００を実現するためには、短い時間間隔で乗りカゴ１１内に出入りする風量を変化させる必要がある。
【００２８】
図４は、図３に示す気圧パタン１００と外気圧１０１との差をとったものであり、これを目標差圧［ΔＰref］と定義する。目標差圧［ΔＰref］の波形を見ると、走行期間の前半部分は正、後半部分は負になっている。走行期間の前半においては、第１の最大気圧変化率［Ｐ１’］で差圧「ΔＰ」が増大する部分と、第２の最大気圧変化率［Ｐ２’］で差圧「ΔＰ」が減少する部分がある。目標差圧［ΔＰref］は、走行期間の中心の切り替え部［ｔｍ］に対して対称形になっているとすると、前半と後半のそれぞれの中央付近で、同じ大きさの最大差圧［ΔＰmax］に達する。
【００２９】
図１に示したエレベータ装置１は、図４に示した目標差圧［ΔＰref］が正の場合は、送風機１３によって乗りカゴ１１内に空気を供給して乗りカゴ１１内を陽圧にする。また目標差圧［ΔＰref］が負の場合は、送風機１３によって乗りカゴ１１内の空気を排気して乗りカゴ１１内を陰圧にする。この際、エレベータ装置１は、指令生成器１５によって、送風機１３の回転速度を制御しながら乗りカゴ１１を走行させることにより、乗りカゴ１１内の気圧パタン１００と外気圧１０１との差を目標差圧［ΔＰref］とするフィードフォワード制御を行う。
【００３０】
図５は、回転速度指令［ｎ］の生成を説明するために目標差圧［ΔＰref］を単純化した三角波を示す。この三角波は、図４に示した目標差圧［ΔＰref］における立ち上がりの加圧部分における第１の最大気圧変化率［Ｐ１’］部分と、最大差圧［ΔＰmax］と、立ち下がりの減圧部分における第２の最大気圧変化率［Ｐ２’］とで構成された三角波である。
【００３１】
以下、このような単純化した目標差圧［ΔＰref］を例にして、走行中の乗りカゴ内の気圧を高精度に制御するための回転速度指令［ｎ］の生成の詳細についてを、制御誤差がどのように発生するのかと共に説明する。尚、外気圧に対して乗りカゴ内のカゴ内気圧が陽圧の場合も陰圧の場合も、乗りカゴ１１に対して送風機１３からの給気を行うか排気を行うかが違うだけで、気圧制御の原理は同じである。このため以下においては、図５に示したように、走行期間の前半の陽圧部分を例示して指令生成器１５による回転速度指令［ｎ］の生成の詳細を説明する。
【００３２】
＜指令生成器１５による回転速度指令［ｎ］の生成の詳細＞
図２は、指令生成器１５において実施される回転速度指令［ｎ］の生成の詳細を説明するためのフロー図である。以下においては、図２のフロー図に従って、図１および必要図を参照しつつ、指令生成器１５における回転速度指令［ｎ］の生成を説明する。
【００３３】
［ステップＳ１（図６参照）］
先ず、ステップＳ１においては、指令生成器１５に入力された目標気圧［Ｐref］に基づいて、次のように乗りカゴ１１内の気圧を調整するために送風機１３に求められる風量［ＱＢ］を計算する。これにより、送風機の回転速度指令の理想値［ｎ０］を生成する。
【００３４】
ボイル・シャルルの法則より、温度一定の条件で気体の体積と圧力の積は一定である。よって、走行前の初期における乗りカゴ１１内の初期カゴ内空気体積を［Ｖ０］、初期カゴ内気圧を［Ｐ０］、乗りカゴ１１内の目標気圧を［Ｐref］、目標気圧［Ｐref］にするために乗りカゴ１１内に供給する必要のある供給必要体積［Ｖ１］とすると、下記式（１）が成り立つ。
【００３５】
Ｐ０×（Ｖ０＋Ｖ１）＝Ｐref×Ｖ０・・・式（１）
【００３６】
この式（１）を、供給必要体積［Ｖ１］について解き、さらに時間で微分すると、単位時間当たりに必要な必要風量［Ｑ１］を求める下記式（２）が得られる。
【００３７】
Ｑ１＝（Ｖ０／Ｐ０）×ｄ／ｄｔ（Ｐref）・・・式（２）
【００３８】
また送風機１３の風量［ＱＢ］は、送風機１３の回転速度にほぼ比例する。このため、比例定数を［ＣＢ］とすれば、必要風量［Ｑ１］に基づく送風機１３の回転速度の値［ｎ０’］（図示省略）は、下記式（３）となる。
【００３９】
ｎ０’＝Ｑ１／ＣＢ・・・式（３）
【００４０】
この値［ｎ０’］は、目標気圧［Ｐref］のみから導出した値である。このため、この値［ｎ０’］に対して、乗りカゴ１１の隙間を通過する空気の漏れ風量［Ｑ２］を加える。この漏れ風量［Ｑ２］は、ベルヌーイの定理により、下記式（４）で計算できる。
【００４１】
Ｑ２＝Ａ×（２×ΔＰ／ρ）1/2・・・式（４）
ただし、式（４）中、［Ａ］は乗りカゴの隙間面積、ΔＰは乗りカゴ１１内外の気圧差、［ρ］は標準大気圧における空気密度である。
【００４２】
よって、隙間からの漏れ風量［Ｑ２］も考慮して送風機１３に求められる風量［ＱＢ］は、下記式（５）となる。
【００４３】
ＱＢ＝Ｑ１＋Ｑ２・・・式（５）
【００４４】
そして、この漏れ風量［Ｑ２］も考慮した送風機１３の回転速度の理想値［ｎ０］は、下記式（６）によって算出される。
【００４５】
ｎ０＝（Ｑ１＋Ｑ２）／ＣＢ・・・式（６）
【００４６】
図６には、以上のようにして導出された送風機１３の回転速度の理想値［ｎ０］を示す。図６の横軸は時間、縦軸は送風機１３の回転速度［Ｎ］を示している。この図に示すように、指令生成器１５によって生成する理想値［ｎ０］は、乗りカゴ１１の走行に伴う回転速度［Ｎ］の経時変化として表される。この理想値［ｎ０］は、カゴ内外を目標差圧［ΔＰref］とするために、目標気圧［Ｐref］と共に、乗りカゴ１１の隙間における空気の漏れ風量［Ｑ２］をも考慮した値である。
【００４７】
ここで、送風機１３は、その特性として、羽根車の慣性抵抗よりモータ発生トルクの性能以上に角加速度を上げることはできない。ところが、上述した理想値［ｎ０］は、このような送風機１３の特性を考慮したものではない。このため、この理想値［ｎ０］では、送風機１３の駆動を開始した直後、すなわち乗りカゴの走行開始［ｔ０］直後において、回転速度［Ｎ］が急激に上昇しており、このような理想値［ｎ０］通りの回転速度で送風機１３を制御することは不可能である。
【００４８】
［ステップＳ２（図６参照）］
そこで次のステップＳ２では、上述した理想値［ｎ０］に対して、指令生成器１５に入力された送風機１５における性能限界上の最大角加速度［αacc］および最大角減速度［αdec］による制限を加えた性能値［ｎ１］を生成する。
【００４９】
この性能値［ｎ１］において、送風機１３の駆動を開始した直後の加速運転時の立ち上がり部分では、送風機１３の性能限界上の最大角加速度［αacc］で回転速度［Ｎ］が増加する。一方、この性能値［ｎ１］において、最高速度に達した後の減速運転時の立ち下がり部分では、送風機１３に設けたブレーキを機能させた場合の性能限界上の最大角減速度［αdec］で回転速度［Ｎ］が減少する。この立ち下がり部分では、送風機１３に設けたブレーキの作動により、送風機１３における最大角減速度［αdec］は、最大角加速度［αacc］よりも大きくできる。そのため、性能値［ｎ１］は、立ち上がりの加速運転時における回転速度［Ｎ］の傾きよりも、立ち下がりの減速運転時における回転速度［Ｎ］の傾きの方が大きくなる。
【００５０】
−制御誤差の発生−
ここで、図６に示す理想値［ｎ０］と性能値［ｎ１］とを比較してわかるように、回転速度の性能値［ｎ１］は、送風機１３の性能を考慮した値であるため、回転速度の理想値［ｎ０］に対して回転速度の変化に遅れが発生する。これにより、回転速度の性能値［ｎ１］は、カゴ内外を目標差圧［ΔＰref］とするための回転速度の理想値［ｎ０］に対して、制御誤差が加わったものとなっている。
【００５１】
−制御性のバラツキの発生−
また図７は、送風機の回転速度［Ｎ］の変化と乗りカゴの内外の気圧差［ΔＰ］の変化との関係を説明するための図である。図７Ａは、送風機の回転速度パタンの一例を示す図である。図７Ａに示す回転速度パタンは、単純な台形パタン１０３であり、立ち上がり部分１０３ａにおける送風機の角加速度と、立ち下がり部分１０３ｂにおける送風機の角減速度とは、同じ大きさであることとする。図７Ｂは、図７Ａの台形パタン１０３にしたがって送風機を駆動した場合の乗りカゴ内外の気圧差［ΔＰ］の経時変化を示している。
【００５２】
図７Ａに示したように、立ち上がり部分１０３ａの角加速度と立ち下がり部分１０３ｂの角減速度とが同じ大きさの台形パタン１０３で送風機１３を回転させた場合であっても、図７Ｂに示すように、カゴ内気圧の変化に全体的な遅れが生じる。また、これに加えて、立ち下がり側と比較して、立ち上がり側における気圧差［ΔＰ］の傾斜が小さく気圧差［ΔＰ］の変化の遅れが大きくなる、制御性のバラツキが発生する。
【００５３】
このような制御性のバラツキは、乗りカゴの隙間を通過する空気の漏れに起因して発生する。つまり、乗りカゴ内が陽圧の場合、乗りカゴ１１内の空気が隙間から漏れ出す。このため、加圧時、すなわち送風機の回転速度を加速させる加速運転時には、送風機１３から乗りカゴ１１内に供給される風量の実質的な値が減り、乗りカゴ１１内の気圧は上がり難くなる。これに対して、加圧状態からの減圧時、すなわち送風機の回転速度を減速させる減速運転時には、隙間から漏れ出す空気により、送風機１３から乗りカゴ１１内に供給される風量を減らした以上に、乗りカゴ１１内の空気が減少する。そのため、乗りカゴ内の気圧は下がり易く、気圧が下がるときの遅れが小さくなるのである。
【００５４】
またこのような制御性のバラツキは、送風機１３の性能や乗りカゴ１１の隙間等の条件で変化するが、台形パタンで同じように送風機１３を駆動した際に普遍的に発生する現象と考えてよい。
【００５５】
そして、ステップＳ１で生成した理想値［ｎ０］は、乗りカゴの隙間を通過する空気の漏れ風量［Ｑ２］を考慮した値であるものの、ステップＳ２で送風機１３の性能による制限を加えて生成した性能値［ｎ１］は、漏れ風量［Ｑ２］が考慮された値となっていない。したがって、性能値［ｎ１］によって送風機の回転速度を制御した場合の乗りカゴの内外の気圧差［ΔＰ］には、回転速度の理想値［ｎ０］に対する制御誤差と、乗りカゴの隙間を通過する空気の漏れの影響が現れる。
【００５６】
図８は、目標差圧［ΔＰref］に対して、性能値［ｎ１］に従って送風機１３を制御した場合の乗りカゴ１１の内外の気圧差［ΔＰｃ１］を示す図である。目標差圧［ΔＰref］は図５に示したものであり、性能値［ｎ１］は図６に示したものである。尚、図８中に示す破線は、気圧差［ΔＰｃ１］の極大点［Ｍ１］に対して、極大点［Ｍ１］以前の気圧差［ΔＰｃ１］の変化形状を反転させたものである。
【００５７】
図８に示すように、性能値［ｎ１］での制御による乗りカゴ１１の内外の気圧差［ΔＰｃ１］は、目標差圧［ΔＰref］に対して全体的に遅れて気圧が変化したものとなっている。そして、気圧差［ΔＰｃ１］が極大点［Ｍ１］に達する時刻［ｔ１’］は、目標差圧［ΔＰref］が頂点［Ｓ］に達する時刻［ｔ１］に対して、時間差［Δｔ１］だけ遅くなっている。
【００５８】
さらに、この気圧差［ΔＰｃ１］は、乗りカゴの隙間を通過する空気の漏れの影響により、送風機１３の加速運転時の気圧変化の遅れが、減速運転時の気圧変化の遅れよりも大きく、最大差圧に達する極大点［Ｍ１］に対して左右が非対称の形になっている。尚、気圧差［ΔＰｃ１］は、実験的に求めるか、または以降に説明する式（８）〜式（１４）に基づき、式中の［Δｔ１］＝０として求められる。
【００５９】
そこで、次のステップＳ４以降において、この性能値［ｎ１］を補正して以降のように回転速度指令［ｎ］を生成する。
【００６０】
［ステップＳ３（図８参照）］
先ず、ステップＳ３では、性能値［ｎ１］によって得られる気圧差［ΔＰｃ１］が極大点［Ｍ１］に達する時刻［ｔ１’］と、目標差圧［ΔＰref］が頂点［Ｓ］に達する時刻［ｔ１］との時間差［Δｔ１］を求める。
【００６１】
このような時間差［Δｔ１］は、実験的に求めるか、または計算によって求める。計算によって求める場合であれば、先ず下記式（７）により性能値［ｎ１］から、気圧［Ｐｃ］の変化を計算する。
【００６２】
Ｐｃ＝（Ｐ０／Ｖ０）×［Ｖ０＋∫（ＱＢ）ｄｔ−∫（Ｑ２）ｄｔ］・・・式（７）
【００６３】
式（７）によって得られた気圧［Ｐｃ］が極大となる時刻［ｔ１’］を求めることにより、目標差圧［ΔＰref］が頂点［Ｓ］に達する時刻［ｔ１］との時間差［Δｔ１］が得られる。
【００６４】
［ステップＳ４（図９参照）］
次いでステップＳ４では、ステップＳ２で生成した性能値［ｎ１］を時間差［Δｔ１］の分だけ前倒し、さらに最大角減速度［αdec］を最大角加速度［αacc］にまで低下させた補正性能値［ｎ２］を生成する。この補正性能値［ｎ２］によれば、送風機の駆動開始［ｔｐ］は、乗りカゴの走行開始［ｔ０］よりも、時間差［Δｔ１］だけ先行することになる。
【００６５】
［ステップＳ５（図１０参照）］
その後ステップＳ５では、補正性能値［ｎ２］に従って送風機を制御した場合の乗りカゴの内外の気圧差［ΔＰｃ２］を、下記式（８）〜式（１４）に従って算出する。
【００６６】
尚、ここで算出する気圧差［ΔＰｃ２］の範囲は、送風機の駆動開始［ｔｐ］から、目標差圧［ΔＰref］＝０（ｔ＞０）となる時刻［ｔ２］に対して時間差［Δｔ１］を追加した時刻［ｔ２’］までとする。これは、最大角減速度［αdec］を制限した補正性能値［ｎ２］での制御による気圧差［ΔＰｃ２］の波形は、目標差圧［ΔＰref］が頂点［Ｓ］に達する時刻［ｔ１］に対して左右対称の三角形となった場合に、目標差圧［ΔＰref］に対する気圧差［ΔＰｃ２］の誤差が最も小さくなるからである。
【００６７】
先ず、気圧差［ΔＰｃ２］は、下記式（８）から算出される。
【００６８】
ΔＰｃ２＝（Ｐ０／Ｖ０）×（Ｖ０＋ＶＢ−Ｖ２）−Ｐ０・・・式（８）
ただし、式（８）中、［Ｐ０］は走行前の初期における乗りカゴ１１内の初期カゴ内気圧、［Ｖ０］は初期カゴ内空気体積、［ＶＢ］は送風機１３によって乗りカゴ１１内に供給した空気の供給体積、［Ｖ２］は乗りカゴ１１の隙間から漏れた空気の漏れ体積である。
【００６９】
式（８）中の供給体積［ＶＢ］は、送風機１３の風量［ＱＢ］を積分して求める。送風機１３の回転速度から風量［ＱＢ］に換算する係数を［ＣＢ’］とすると、送風機１３の駆動開始［ｔｐ］から、目標差圧［ΔＰref］が頂点［Ｓ］に達する時刻［ｔ１］までのある時間［ｔ］における風量［ＱＢ１］は、下記式（９）で計算できる。尚、送風機１３の駆動開始［ｔｐ］は、時間差［Δｔ１］だけ前倒しした時点である。
【００７０】
ＱＢ１＝ＣＢ’×αacc×（ｔ＋Δｔ１）・・・式（９）
【００７１】
よって、送風機１３の駆動開始［ｔｐ］から時刻［ｔ１］までの間に、送風機１３によって乗りカゴ１１内に供給される空気体積［ＶＢ１］は、下記式（１０）で計算できる。
【００７２】
ＶＢ１＝∫（ＱＢ１）ｄｔ＝ＣＢ’×αacc×［(1/2)×ｔ２＋Δｔ１×ｔ］
・・・式（１０）
【００７３】
また、時刻［ｔ１］から、時刻［ｔ２’］(＝ｔ１＋ｔ１＋Δｔ１)までのある時刻［ｔ］の風量［ＱＢ２］は、下記式（１１）で計算できる。
【００７４】
ＱＢ２＝ＣＢ’×αacc×（ｔ１＋Δｔ１）−ＣＢ’×αdec×（ｔ-ｔ１）
・・・式（１１）
【００７５】
よって、時刻［ｔ１］から時刻［ｔ２’］(＝ｔ１＋ｔ１＋Δｔ１)までの、送風機１３から乗りカゴ１１内に供給する空気体積［ＶＢ２］は、下記式（１２）で計算できる。
【００７６】
ＶＢ２＝∫（ＱＢ２）ｄｔ
＝ＣＢ’×αacc×[(1/2）×ｔ１２＋Δｔ１×ｔ１]−ＣＢ’×αdec×[(1/2）×ｔ２−ｔ１×ｔ]・・・式（１２）
【００７７】
以上より、式（８）中の供給体積［ＶＢ］が、上記式（１０）の空気体積［ＶＢ１］と式（１２）の空気体積［ＶＢ２］との合計として得られる。
【００７８】
また式（８）中の漏れ体積［Ｖ２］は、通常、乗りカゴ１１の隙間の漏れ風量[Ｑ２]を積分して求められる。しかしながら、ここでは前述の式（４）で示される漏れ風量［Ｑ２］が、時刻［t］について線形になると仮定し、下記式（１３）に示す漏れ風量の平均値［Ｑ２ave］を求め、下記式（１４）により、漏れ体積［Ｖ２］を求める。
【００７９】
Ｑ２ave＝［(1/2)／ΔＰave］×Ａ×（２×ΔＰave／ρ）1/2・・・式（１３）
Ｖ２＝Ｑ２ave×ｔ・・・（１４）
ただし、式（１３）内の［ΔＰave］は、平均的な隙間漏れ風量を与えるために着目する、乗りカゴ内差圧（例えばカゴ内目標差圧の平均値）である。
【００８０】
以上より、上記式（１０）、式（１２）、および式（１４）を、式（８）に代入することにより、補正性能値［ｎ２］での制御による時刻［ｔｐ］から時刻［ｔ２’］までの気圧差［ΔＰｃ２］が算出される。
【００８１】
［ステップＳ６（図１０参照）］
そこで次のステップＳ６では、気圧差［ΔＰｃ２］＝０となる時刻［ｔｘ（＞０）］と、時刻［ｔ２’］との間隔［Δｔ２’］が、予め設定した範囲内であるか否かを判断する。範囲内である（Ｙｅｓ）と判断された場合には、気圧差［ΔＰｃ２］が、頂点［Ｓ］となる時刻［ｔ１］に対して許容範囲で左右対称となったと判断し、次のステップＳ７に進む。一方、範囲内ではない（Ｎｏ）と判断された場合には、気圧差［ΔＰｃ２］が、頂点［Ｓ］となる時刻［ｔ１］に対して左右対称ではないと判断し、次のステップＳ８に進む。
【００８２】
［ステップＳ７（図９参照）］
ステップＳ７では、直前のステップＳ５において算出された気圧差［ΔＰｃ２］となる補正性能値［ｎ２］を、回転速度指令［ｎ］として採用する。
【００８３】
［ステップＳ８（図１０参照）］
一方、ステップＳ８では、ステップＳ５で算出した気圧差［ΔＰｃ２］が極大値［Ｍ２］に達する時刻［ｔ１”］と、目標差圧［ΔＰref］が頂点［Ｓ］に達する時刻［ｔ１］との時間差［Δｔ２］を求める。
【００８４】
［ステップＳ９（図９参照）］
次のステップＳ９では、補正性能値［ｎ２］を生成するために、性能値［ｎ１］を前倒しした時間差［Δｔ１］に対して、ステップＳ７で求めた時間差［Δｔ２］を加え、Δｔ１＝Δｔ１＋Δｔ２とする。さらにステップＳ３において、最大角加速度［αacc］にまで低下させた最大角減速度［αdec］を、さらに微少刻み［Δα］だけ小さくし、補正性能値［ｎ２］をさらに補正する。この微小刻み［Δα］は、送風機１３の角減速度の設定分解能以上の値であり、その範囲で選択された大きさに設定される。
【００８５】
その後は、ステップＳ５に戻り、ステップＳ６において、気圧差［ΔＰｃ２］＝０となる時刻［ｔｘ（＞０）］と、時刻［ｔ２’］との間隔［Δｔ２’］が、予め設定した範囲内である（Ｙｅｓ）と判断されるまで、ステップＳ５〜ステップＳ９を繰り返し行う。そして、ステップＳ６において、範囲内である（Ｙｅｓ）と判断された場合にステップＳ７に進み、直前のステップＳ５において算出された気圧差［ΔＰｃ２］となる補正性能値［ｎ２］を、回転速度指令［ｎ］として採用して処理を終了する。ステップＳ４またはステップＳ９で最大角減速度［αdec］の大きさが確定するため、回転速度指令［ｎ］を計算できるようになる。
【００８６】
ここで、以上のステップＳ５〜ステップＳ９の繰り返しは、乗りカゴの走行開始［ｔ０］に対して、時間差［Δｔ１］だけ前倒しされる送風機の駆動開始［ｔｐ］が、乗りカゴ１１の走行開始決定［ｔｃ］よりも先になることがない範囲で実施されることとする。
【００８７】
乗りカゴ１１の走行開始決定［ｔｃ］は、乗りカゴ１１の行き先階が決定し、かつ乗りカゴ１１のカゴドア１１ａが閉じられた時点である。送風機の駆動開始［ｔｐ］が、乗りカゴ１１のカゴドア１１ａが閉じられた時点よりも後であることにより、乗りカゴ１１内の気密性を高めた状態での気圧制御が可能になる。
【００８８】
尚、通常のエレベータ装置においては、走行開始決定［ｔｃ］からインバータが駆動し始めて乗りカゴ１１の停止保持ブレーキが解除され、乗りカゴ１１の走行開始［ｔ０］に至るまでの時間は、概ね１秒である。したがって、ステップＳ５〜ステップＳ９の繰り返しは、時間差［Δｔ１］が１秒以下の範囲で実施するようにしてもよい。これにより、走行開始決定［ｔｃ］から乗りカゴ１１の走行開始［ｔ０］までの待機時間が、乗りカゴ１１内の気圧制御の影響によって、長くなり過ぎることを防止する。
【００８９】
また以上においては、図３に示した下降運転に際しての気圧パタン１００の陽圧部を例示して、指令生成器１５による回転速度指令［ｎ］の生成の詳細を説明したが、上昇運転に際しての気圧パタン１００の陰圧部に対応する回転速度指令［ｎ］も同様にして生成される。
【００９０】
ただし、乗りカゴ１１の走行期間の後半（ｔｍ〜ｔｆ）に対応させて回転速度指令［ｎ］を生成する際には、図１０に示した乗りカゴ１１の走行開始決定［ｔｃ］から乗りカゴ１１の走行開始［ｔ０］までの待機時間の影響を考慮する必要はない。このため、送風機１３が、給気用と排気用との２台で構成されている場合であれば、回転速度指令［ｎ］は、送風機１３の駆動開始［ｔｐ］と乗りカゴ１１の走行開始［ｔ０］の間隔よりも大きい間隔で、図３に示した気圧パタン１００における陽圧と陰圧との切り替え部［ｔｍ］に先行させて、後半（ｔｍ〜ｔｆ）に対応する送風機１３を駆動させることができる。
【００９１】
これにより、下降運転および上昇運転にかかわらず、回転速度指令［ｎ］は、乗りカゴ１１の走行期間の後半（ｔｍ〜ｔｆ）においての最大角減速度［αdec］を、前半（ｔ０〜ｔｍ）においての最大角減速度［αdec］よりも小さくすることができる。これにより、回転速度指令［ｎ］の生成においては、走行期間の後半（ｔｍ〜ｔｆ）においての最大角減速度［αdec］の設定の自由度が高くなる。
【００９２】
以上のような乗りカゴ１１の走行期間の後半（ｔｍ〜ｔｆ）に対応する回転速度指令［ｎ］の生成は、乗りカゴ１１に対する接続状態によって給排気の機能の切り替えが行なわれる送風機１３であっても同様である。この場合、送風機１３の駆動開始［ｔｐ］と乗りカゴ１１の走行開始［ｔ０］の間隔よりも大きい間隔で、図３に示した気圧パタン１００における陽圧と陰圧との切り替え部［ｔｍ］に先行させて、給排気の機能の切り替えを行なえばよい。
【００９３】
＜第１実施形態の効果＞
以上説明したように、図１に示す第１実施形態のエレベータ装置１においては、指令生成器１５において生成した回転速度指令［ｎ］により、送風機１３の駆動開始［ｔｐ］が、乗りカゴの走行開始［ｔ０］に対して時間差［Δｔ１］だけ前倒しされる。これにより、送風機１３の性能限界および乗りカゴ１１の隙間を通過する空気の漏れに起因して発生する、走行中の乗りカゴ１１内の気圧の制御の遅れを解消することができる。
【００９４】
また特に、このエレベータ装置１は、回転速度指令［ｎ］により、送風機１３の減速運転時における最大角減速度［αdec］が、加速運転時における最大角加速度［αacc］を超えない大きさに抑えられる。これにより、乗りカゴ１１の隙間を通過する空気の漏れに起因して発生する、送風機１３の加速運転時と減速運転時との乗りカゴ１１内の気圧の制御性のバラツキを解消することができる。
【００９５】
この結果、第１実施形態のエレベータ装置１は、走行中の乗りカゴ１１内の気圧を高精度に気圧パタンに追従させた運転を行なうことが可能になる。また、このような制御は、圧力調整弁を組み合わせて用いていることなく送風機１３の回転速度の制御のみにより実施されるため、エレベータ装置１における部品点数の削減と装置コストの削減を図ることができる。
【００９６】
≪第２実施形態≫
＜エレベータ装置の概略構成＞
図１１は、第２実施形態のエレベータ装置２の構成を説明するための概略構成図である。この図に示す第２実施形態のエレベータ装置２が、第１実施形態のエレベータ装置と異なるところは、指令生成器１５’の構成、およびフィードバック制御器２１を備えたところにある。以下、第１実施形態のエレベータ装置と同様の構成要素には同一の符号を付し、重複する説明は省略して各構成を説明する。
【００９７】
［指令生成器１５’］
指令生成器１５’は、送風機１３の回転速度を制御するためのものである。この指令生成器１５’は、指令生成器１５’に対して入力される乗りカゴ１１内の目標気圧［Ｐref］、送風機１３の最大角加速度［αacc］および最大角減速度［αdec］と共に、フィードバック制御器２１からの入力に基づいて、乗りカゴ１１の走行中における送風機１３の回転速度指令［ｎ］を生成する。指令生成器１５’において実施される回転速度指令［ｎ］の生成は、以降に詳細に説明する。
【００９８】
［フィードバック制御器２１］
フィードバック制御器２１は、フィードバック制御器２１に対して入力された目標気圧［Ｐref］と、乗りカゴ１１に設けられたセンサ１１ｂにおいて測定されたカゴ内気圧［Ｐｃ］との偏差にゲイン［Ｋｐ］を掛けて操作量を求める。求めた操作量を、指令生成器１５’に出力する。
【００９９】
＜指令生成器１５’による回転速度指令［ｎ］の生成の詳細＞
指令生成器１５’において実施される回転速度指令［ｎ］の生成の詳細は、第１実施形態において図２のフローを用いて説明した手順において、ステップＳ７のあとに、送風機１３の回転速度指令［ｎ］に対して、フィードバック制御器２１から出力された操作量を加える手順を追加する。操作量を加えた結果として［αacc］［αdec］を超える場合は、［αacc］［αdec］を超えないように回転速度指令を修正する。なお、［αdec］の求め方は第１実施形態と同様である。
【０１００】
＜第２実施形態の効果＞
以上説明した第２実施形態のエレベータ装置２によれば、回転速度指令［ｎ］の生成において、フィードバック制御器２１から出力された操作量が回転速度指令の理想値［ｎ０］に対して加えられる。このようなフィードバック制御を加えたことにより、最大角加速度［αacc］および最大角減速度［αdec］よりも小さい範囲で送風機１３を駆動する期間では、フィードフォワード制御の誤差や外乱影響を、フィードバック制御で補償することができる。
【０１０１】
つまり、第１実施形態および第２実施形態においては、原理説明のため、図３に例示した気圧パタン１００のうち、気圧の変化率が最も急激な部分を抜き出して合成した図５の目標差圧［ΔＰref］を用いて回転速度指令［ｎ］の生成を説明している。しかしながら、実際の気圧パタンは気圧変化率が小さく条件が緩い期間も混在しており、同様に実際に生成される回転速度指令［ｎ］にも、加速度および減速度が最大角加速度［αacc］および最大角減速度［αdec］よりも小さい期間が存在する。したがって、このような期間に対して、フィードバック制御による操作量を反映させることができ、この期間においては、第１実施形態の構成よりも、高精度にカゴ内気圧［Ｐｃ］を制御することが可能である。
【０１０２】
また、第２実施形態のエレベータ装置２においては、フィードバック制御を加えた理想値［ｎ０］に対して、第１実施形態と同様に送風機１３の最大角減速度［αdec］を最大角加速度［αacc］を超えない大きさに抑えた回転速度指令［ｎ］を生成している。これにより、第１実施形態と同様に、乗りカゴ１１の隙間を通過する空気の漏れに起因して発生する、送風機１３の加速運転時と減速運転時との乗りカゴ１１内の気圧の制御性のバラツキを解消することができる。
【０１０３】
ここで、フィードバック制御を加えた理想値［ｎ０］に対しても、第１実施形態と同様に送風機１３の最大角減速度［αdec］を抑えることの効果について、簡単のため、比例制御のみのフィードバック制御の例で説明する。比例ゲインを［Ｋ］とすると、偏差が［±ｅ］のときの操作量は［±Ｋｅ］である。ここで、第１実施形態のステップＳ２において図７を用いて説明したように、送風機１３の加速運転時の気圧変化の遅れが、減速運転時の気圧変化の遅れよりも大きい原理を考えると、正の偏差で操作量［Ｋｅ］を加えるのと負の偏差で操作量［Ｋｅ］を減じるのとでは、カゴ内気圧の変化への影響度が異なる。
【０１０４】
仮に、加速運転時（差圧を増加させる方向）に合わせてフィードバックゲイン［Ｋ］を設定すると、次の減速運転時に目標に合わせて差圧を減少させたいときに操作量が過大となりオーバシュート気味になることが推測できる。下げ過ぎた差圧を回復するには、下げたとき以上に操作量を増加させる必要があり、回復が遅れて誤差が増大する。
【０１０５】
このため、本第２実施形態においては、差圧を増大させる加速運転時に、できるだけ遅れが発生しないように、最大角加速度［αacc］の範囲で操作量が加えられるようにしている。その代わり、差圧を減少させる減速運転時には、操作量が過大となり差圧を下げ過ぎないように、最大角減速度［αdec］の範囲で操作量が加えられるようにしたものである。これにより、差圧を増大させる加速運転時に合わせてフィードバックゲイン［Ｋ］を設定して応答性を向上させ、制御誤差を低減する効果が得られる。
【０１０６】
尚、以上の第１実施形態および第２実施形態においては、指令生成器が図２に示すフローの手順に従って、回転速度指令［ｎ］を生成する構成を説明した。しかしながら、指令生成器による回転速度指令［ｎ］の生成は、このような手順に限定されることはない。例えば、図２のフローにおいては、ステップＳ４において最大角減速度［αdec］を最大角減速度［αdec］＝最大角加速度［αacc］に変更する処理を行った。しかしながら、最大角減速度［αdec］を、送風機１３の性能限界上の値よりも小さい範囲で選択することにより、比較して空気の漏れに起因して発生する乗りカゴ１１内の気圧の制御性のバラツキを抑制する効果が得られることからすれば、ステップＳ４においての最大角減速度［αdec］＝最大角加速度［αacc］とする処理は行わなくても良い。
【０１０７】
また例えば、回転速度指令［ｎ］を生成するための、性能値［ｎ１］を前倒しする時間差［Δｔ１］、および最大角減速度［αdec］は、図１０に示した目標差圧［ΔＰref］と乗りカゴの内外の気圧差［ΔＰｃ２］との最大誤差が、許容範囲内となるとなる値を選択してもよい。さらに性能値［ｎ１］を前倒しする時間差［Δｔ１］、および最大角減速度［αdec］は、実験的に求めるようにしても良い。
【０１０８】
また、回転速度指令［ｎ］における最大角減速度［αdec］は、最大角加速度［αacc］を超えない大きさに制限されていればよく、最大角加速度［αacc］を超えない大きさの範囲で予め設定されていても良い。この場合、指令生成器は、リミッタ機能を有するものであってもよい。
【０１０９】
例えば第１実施形態の指令生成器の変形例としては、次のような構成が例示される。すなわち、図２に示すフローのステップＳ３までの手順に従って得た性能値［ｎ１］を、時間差［Δｔ１］だけ前倒しし、指令生成器のリミッタ機能によって最大角加速度［αacc］および最大角減速度［αdec］を予め設定された大きさに制限する。
【０１１０】
また第２実施形態の指令生成器の変形例としては、次のような構成が例示される。すなわち、図２に示すフローのステップＳ３までの手順に従って得た性能値［ｎ１］を、時間差［Δｔ１］だけ前倒しし、これに対してフィードバック制御器で求めた操作量を加える。これに対して、さらに指令生成器のリミッタ機能によって最大角加速度［αacc］および最大角減速度［αdec］を予め設定された大きさに制限する。
【０１１１】
さらに本発明は、上記した実施形態および変形例に限定されるものではなく、さらに様々な変形例が含まれる。例えば、上記した実施形態は本発明をわかりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【０１１２】
１，２…エレベータ装置、１１…乗りカゴ、１１ａ…カゴドア、１１ｂ…センサ、１３…送風機、１５，１５’…指令生成器）、２１…フィードバック制御器、１００…気圧パタン、１０１…外気圧、［ｎ］…回転速度指令、［αdec］…最大角減速度、［αacc］…最大角加速度、［Ｐref］…目標気圧、［Ｐｃ］…カゴ内気圧（乗りカゴ内の気圧）
【図１】
0006435185.tif 000002
【図２】
0006435185.tif 000003
【図３】
0006435185.tif 000004
【図４】
0006435185.tif 000005
【図５】
0006435185.tif 000006
【図６】
0006435185.tif 000007
【図７】
0006435185.tif 000008
【図８】
0006435185.tif 000009
【図９】
0006435185.tif 000010
【図１０】
0006435185.tif 000011
【図１１】
0006435185.tif 000012